【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
物体側より像側へ順に、正のパワーの第１レンズ群と、負のパワーの第２レンズ群と、開口絞りと、１以上のレンズ群よりなる中間群と、正のパワーの最終レンズ群よりなり、ズーミングに際して隣り合うレンズ群の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
前記最終レンズ群のｄ線におけるパワーをφＬｄ、Ｃ線におけるパワーをφＬＣ、ｇ線におけるパワーをφＬｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φＬｇ−φＬｄ）／（τｇ−τｄ）｝／｛（φＬｄ−φＬＣ）／（τｄ−τＣ）｝＜１．５５
なる条件式を満足することを特徴とするズームレンズ。
【請求項２】
広角端における前記開口絞りから前記最終レンズ群の像側のレンズ面までの距離をＬｂ、広角端における前記開口絞りから前記最終レンズ群の物体側のレンズ面までの距離をＬａとするとき、
０．５＜Ｌａ／Ｌｂ＜０．８
なる条件式を満足すること特徴とする請求項１に記載のズームレンズ。
【請求項３】
前記第１レンズ群の焦点距離をｆ１、前記最終レンズ群の焦点距離をｆＬ、広角端における全系の焦点距離をｆｗとするとき、
３．５＜ｆ１／ｆｗ＜５．５
２＜ｆＬ／ｆｗ＜３
なる条件式を満足することを特徴とする請求項１又は２に記載のズームレンズ。
【請求項４】
前記最終レンズ群の広角端と望遠端における結像倍率を各々βＬＷ、βＬＴ、前記ズームレンズのズーム比をＺとするとき、
−３＜βＬＷ／βＬＴ＊Ｚ＜３
なる条件式を満足することを特徴とする請求項１乃至３のいずれか１項に記載のズームレンズ。
【請求項５】
物体側より像側へ順に、正のパワーの第１レンズ群と、負のパワーの第２レンズ群と、開口絞りと、正のパワーの第３レンズ群、負のパワーの第４レンズ群、正のパワーの第５レンズ群、負のパワーの第６レンズ群よりなり、ズーミングに際して隣り合うレンズ群の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
広角端において前記第５レンズ群と前記第６レンズ群を合成したときの合成レンズ群のｄ線におけるパワーをφ５６ｄ、Ｃ線におけるパワーをφ５６Ｃ、ｇ線におけるパワーをφ５６ｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φ５６ｇ−φ５６ｄ）／（τｇ−τｄ）｝／｛（φ５６ｄ−φ５６Ｃ）／（τｄ−τＣ）｝＜１．５５
なる条件式を満足することを特徴とするズームレンズ。
【請求項６】
広角端において前記開口絞りから前記第６レンズ群の像側のレンズ面までの距離をＬ５６ｂ、広角端において前記開口絞りから前記第５レンズ群の物体側のレンズ面までの距離をＬ５６ａとするとき、
０．５＜Ｌ５６ａ／Ｌ５６ｂ＜０．８
なる条件式を満足すること特徴とする請求項５に記載のズームレンズ。
【請求項７】
前記第１レンズ群の焦点距離をｆ１、広角端における前記合成レンズ群の焦点距離をｆ５６、広角端における全系の焦点距離をｆｗとするとき、
３．５＜ｆ１／ｆｗ＜５．５
２＜ｆ５６／ｆｗ＜３
なる条件式を満足することを特徴とする請求項５又は６に記載のズームレンズ。
【請求項８】
前記合成レンズ群の広角端と望遠端における結像倍率を各々β５６Ｗ、β５６Ｔ、前記ズームレンズのズーム比をＺとするとき、
−３＜β５６Ｗ／β５６Ｔ＊Ｚ＜３
なる条件式を満足することを特徴とする請求項５乃至７のいずれか１項に記載のズームレンズ。
【請求項９】
光電変換素子に像を形成することを特徴とする請求項１乃至８のいずれか１項に記載のズームレンズ。
【請求項１０】
請求項１乃至９のいずれか１項のズームレンズと、該ズームレンズによって形成された像を受光する固体撮像素子を有することを特徴とする撮像装置。
【手続補正２】
【補正対象書類名】明細書
【補正対象項目名】００１３
【補正方法】変更
【補正の内容】
【００１３】
本発明のズームレンズは、物体側より像側へ順に、正のパワーの第１レンズ群と、負のパワーの第２レンズ群と、開口絞りと、１以上のレンズ群よりなる中間群と、正のパワーの最終レンズ群よりなり、ズーミングに際して隣り合うレンズ群の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
前記最終レンズ群のｄ線におけるパワーをφＬｄ、Ｃ線におけるパワーをφＬＣ、ｇ線におけるパワーをφＬｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φＬｇ−φＬｄ）／（τｇ−τｄ）｝／｛（φＬｄ−φＬＣ）／（τｄ−τＣ）｝＜１．５５なる条件式を満足することを特徴としている。
【手続補正３】
【補正対象書類名】明細書
【補正対象項目名】００１４
【補正方法】変更
【補正の内容】
【００１４】
この他本発明のズームレンズは、物体側より像側へ順に、正のパワーの第１レンズ群と、負のパワーの第２レンズ群と、開口絞りと、正のパワーの第３レンズ群、負のパワーの第４レンズ群、正のパワーの第５レンズ群、負のパワーの第６レンズ群よりなり、ズーミングに際して隣り合うレンズ群の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
広角端において前記第５レンズ群と前記第６レンズ群を合成したときの合成レンズ群のｄ線におけるパワーをφ５６ｄ、Ｃ線におけるパワーをφ５６Ｃ、ｇ線におけるパワーをφ５６ｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φ５６ｇ−φ５６ｄ）／（τｇ−τｄ）｝／｛（φ５６ｄ−φ５６Ｃ）／（τｄ−τＣ）｝＜１．５５
なる条件式を満足することを特徴としている。
【手続補正４】
【補正対象書類名】明細書
【補正対象項目名】００１７
【補正方法】変更
【補正の内容】
【００１７】
以下に本発明の好ましい実施の形態を、添付の図面に基づいて詳細に説明する。本発明のズームレンズは、物体側より像側へ順に、正のパワー（屈折力、焦点距離の逆数）の第１レンズ群と、負のパワーの第２レンズ群と、開口絞りと、１以上のレンズ群よりなる中間群と、正のパワーの最終レンズ群よりなる。そして、ズーミングに際して隣り合うレンズ群の間隔が変化する。
【手続補正５】
【補正対象書類名】明細書
【補正対象項目名】００１８
【補正方法】変更
【補正の内容】
【００１８】
この他、本発明のズームレンズは、物体側より像側へ順に、正のパワーの第１レンズ群と、負のパワーの第２レンズ群と、開口絞りと、正のパワーの第３レンズ群、負のパワーの第４レンズ群、正のパワーの第５レンズ群、負のパワーの第６レンズ群よりなる。そしてズーミングに際して隣り合うレンズ群の間隔が変化する。
【手続補正６】
【補正対象書類名】明細書
【補正対象項目名】００２５
【補正方法】変更
【補正の内容】
【００２５】
次に実施例１乃至５について説明する。実施例１乃至５はいずれも、物体側から像側へ順に、正の屈折力の第１レンズ群Ｌ１、負の屈折力の第２レンズ群Ｌ２、１以上のレンズ群よりなる中間群ＬＭ、正の屈折力の最終レンズ群ＬＬを有するズームレンズである。そしてズーミングに際しては、各レンズ群の間隔が変化している。即ち、ズーミングに際して隣り合うレンズ群の間隔が変化する。中間群ＬＭは図１、図３、図５の実施例１〜３では、正の屈折力の第３レンズ群Ｌ３と負の屈折力の第４レンズ群Ｌ４より構成されている。
【手続補正７】
【補正対象書類名】明細書
【補正対象項目名】００２８
【補正方法】変更
【補正の内容】
【００２８】
ｄ線、Ｃ線、ｇ線の波長を各々λｄ、λＣ、λｇとし、
τｄ＝１／λｄ
τＣ＝１／λＣ
τｇ＝１／λｇ
とおく。
【手続補正８】
【補正対象書類名】明細書
【補正対象項目名】００３８
【補正方法】変更
【補正の内容】
【００３８】
ここで条件式（１）、（２）は、ｇ線とＣ線におけるパワーの変化率と、ｄ線とＣ線におけるパワーの変化率の比であり、次式（７）に表される。この比が３つの波長のパワー変化の線形性を表すものである。
Δφｊ＝｛（φｊｇ−φｊＣ）／（τｇ−τＣ）｝／｛（φｊｄ−φｊＣ）／（τｄ−τＣ）｝＝｛（φｊｇ−φｊＣ）／（φｊｄ−φｊＣ）｝＊｛（τｄ−τＣ）／（τｇ−τＣ）｝      ・・・・（７）
ここでτｄ、τＣ、τｇは波長λｄ、λＣ、λｇの逆数で
τｄ＝１／λｄ  ・・・・・・（８）
τＣ＝１／λＣ  ・・・・・・（９）
τｇ＝１／λｇ  ・・・・・・（１０）
である。
【手続補正９】
【補正対象書類名】明細書
【補正対象項目名】００６９
【補正方法】変更
【補正の内容】
【００６９】
次に図１１の実施例６について説明する。実施例６のズームレンズは次のレンズ構成よりなる。物体側より像側へ順に、正のパワーの第１レンズ群Ｌ１と、負のパワーの第２レンズ群Ｌ２と、開口絞りＳＰと、正のパワーの第３レンズ群Ｌ３、負のパワーの第４レンズ群Ｌ４、正のパワーの第５レンズ群Ｌ５、負のパワーの第６レンズ群Ｌ６よりなっている。そして各レンズ群を移動させてズーミングを行う。即ち、ズーミングに際して隣り合うレンズ群の間隔が変化する。
【手続補正１０】
【補正対象書類名】明細書
【補正対象項目名】００７３
【補正方法】変更
【補正の内容】
【００７３】
広角端において第５レンズ群Ｌ５と第６レンズ群Ｌ６を合成したときの合成レンズ群のｄ線におけるパワーをφ５６ｄ、Ｃ線におけるパワーをφ５６Ｃ、ｇ線におけるパワーをφ５６ｇとする。ｄ線、Ｃ線、ｇ線の波長を各々λｄ、λＣ、λｇとし、
τｄ＝１／λｄ
τＣ＝１／λＣ
τｇ＝１／λｇ
とおく。このとき、
０．７＜｛（φ１ｇ−φ１ｄ）／（τｇ−τｄ）｝／｛（φ１ｄ−φ１Ｃ）／（τｄ−τＣ）｝＜１．３              ・・・・（Ｘ１）
０．６＜｛（φ５６ｇ−φ５６ｄ）／（τｇ−τｄ）｝／｛（φ５６ｄ−φ５６Ｃ）／（τｄ−τＣ）｝＜１．５５    ・・・・（Ｘ２）
なる条件式を満足している。
【手続補正１１】
【補正対象書類名】明細書
【補正対象項目名】００８１
【補正方法】変更
【補正の内容】
【００８１】
以下、実施例１〜６に対応する数値実施例１〜６の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４〜Ａ１２を各々非球面係数としたとき